【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
トイレットペーパーで臀部を拭く臀部拭き取り装置であって、
拭き取りアームと、
前記拭き取りアームを駆動させる拭き取りアーム駆動部とを備え、
前記拭き取りアーム駆動部は、前記便器と前記便座との間隙に、前記拭き取りアームを挿入して、前記臀部の汚れを拭き取る位置まで、前記拭き取りアームを移動させ、
前記拭き取りアーム駆動部は、前記間隙に前記拭き取りアームを挿入できない場合、前記拭き取りアームを駆動させないことを特徴とする、臀部拭き取り装置。
【請求項２】
便座に座っている人の臀部をトイレットペーパーで拭く臀部拭き取り装置であって、
拭き取りアームと、
前記拭き取りアームを露出させることができる大きさを有しており、前記拭き取りアームを収容する外筐体に設けられた露出口と、
前記拭き取りアームを前記露出口から露出するまで移動させる拭き取りアーム駆動部と、
前記拭き取りアームの少なくとも一部を覆うためのカバー部とを備えることを特徴とする、臀部拭き取り装置。
【請求項３】
前記カバー部を駆動させるためのカバー駆動部をさらに備えることを特徴とする、請求項２に記載の臀部拭き取り装置。
【請求項４】
トイレットペーパーで臀部を拭く臀部拭き取り装置であって、
前記トイレットペーパーを掴むための掴み先端部を含む拭き取りアームを備え、
前記掴み先端部は、上下に重ねられた前記トイレットペーパーを下側から掴むことを特徴とする、臀部拭き取り装置。
【請求項５】
トイレットペーパーで臀部を拭く臀部拭き取り装置であって、
前記トイレットペーパーを掴むための掴み先端部を含む拭き取りアームを備え、
前記掴み先端部は、上下に重ねられた前記トイレットペーパーを横側から掴むことを特徴とする、臀部拭き取り装置。
【請求項６】
拭き取りアームで臀部を拭くための臀部拭き取り装置に用いられ、前記拭き取りアームの外側を覆うためのカバー装置であって、
前記拭き取りアームの移動時に、前記拭き取りアームの少なくとも一部を覆うカバー部を備える、カバー装置。
【請求項７】
前記カバー部を駆動させるカバー駆動部をさらに備え、
前記カバー駆動部は、前記拭き取りアームが移動する際に、前記拭き取りアームにおけるトイレットペーパー取り付け部分が便座及び／又は便器に接触しないように、前記カバー部を駆動させることを特徴とする、請求項６に記載のカバー装置。
【請求項８】
前記カバー部を駆動させるカバー駆動部をさらに備え、
前記カバー部は、前記拭き取りアームを駆動させるための拭き取りアーム駆動部の外筐体に回動可能に取り付けられており、
前記カバー駆動部は、前記便座と前記便器との間に前記カバー部が挿入されるように、前記カバー部を駆動させることを特徴とする、請求項６又は７に記載のカバー装置。
【請求項９】
トイレットペーパーで臀部を拭く臀部拭き取り装置であって、
前記トイレットペーパーを取り付けるための拭き取りアームと、
前記臀部を拭き取る位置まで前記拭き取りアームを移動させる拭き取りアーム駆動部と、
前記拭き取りアームに取り付けられた前記トイレットペーパーを押さえるための押さえ部材とを備える、臀部拭き取り装置。
【請求項１０】
前記拭き取りアームは、中間部分に関節機構部を含むことを特徴とする、請求項１〜５及び９のいずれかに記載の臀部拭き取り装置。
【請求項１１】
トイレットペーパーで臀部を拭く臀部拭き取り装置であって、
拭き取りアームと、
前記拭き取りアームを駆動させる拭き取りアーム駆動部と、
前記拭き取りアームの動作を制御する制御部と、
前記拭き取りアームに前記トイレットペーパーが載置されているか否かを検知する検知部とを備え、
前記拭き取りアーム駆動部は、前記臀部の汚れを拭き取る位置まで、前記拭き取りアームを移動させ、
前記制御部は、前記検知部によって前記拭き取りアームに紙が載置されていないと検知された場合、前記拭き取りアームを駆動させないように前記拭き取りアーム駆動部を制御することを特徴とする、臀部拭き取り装置。
【手続補正２】
【補正対象書類名】明細書
【補正対象項目名】００１８
【補正方法】変更
【補正の内容】
【００１８】
上記課題を解決するために、本発明は、以下のような特徴を有する。
また、本発明は、トイレットペーパーで臀部を拭く臀部拭き取り装置であって、トイレットペーパーを取り付けるための拭き取りアームと、拭き取りアームを駆動させる拭き取りアーム駆動部とを備え、拭き取りアーム駆動部は、便器と便座との間隙に、拭き取りアームを挿入して、臀部の汚れを拭き取る位置まで、拭き取りアームを移動させ、拭き取りアーム駆動部は、間隙に拭き取りアームを挿入できない場合、拭き取りアームを駆動させないことを特徴とする。
また、本発明は、便座に座っている人の臀部をトイレットペーパーで拭く臀部拭き取り装置であって、トイレットペーパーを取り付け可能な拭き取りアームと、拭き取りアームを露出させることができる大きさを有しており、拭き取りアームを収容する外筐体に設けられた露出口と、トイレットペーパーが取り付けられた状態で、拭き取りアームを露出口から露出するまで移動させる拭き取りアーム駆動部と、拭き取りアームの少なくとも一部を覆うためのカバー部とを備えることを特徴とする。
好ましくは、カバー部を駆動させるためのカバー駆動部をさらに備えるとよい。
また、本発明は、トイレットペーパーで臀部を拭く臀部拭き取り装置であって、トイレットペーパーを掴むための掴み先端部を含む拭き取りアームを備え、掴み先端部は、上下に重ねられたトイレットペーパーを下側から掴むことを特徴とする。
また、本発明は、トイレットペーパーで臀部を拭く臀部拭き取り装置であって、トイレットペーパーを掴むための掴み先端部を含む拭き取りアームを備え、掴み先端部は、上下に重ねられたトイレットペーパーを横側から掴むことを特徴とする。
また、本発明は、トイレットペーパーが取り付けられた拭き取りアームで臀部を拭くための臀部拭き取り装置に用いられ、拭き取りアームの外側を覆うためのカバー装置であって、拭き取りアームの移動時に、拭き取りアームの少なくとも一部を覆うカバー部を備える。
好ましくは、カバー部を駆動させるカバー駆動部をさらに備え、カバー駆動部は、拭き取りアームが移動する際に、拭き取りアームにおけるトイレットペーパー取り付け部分が便座及び／又は便器に接触しないように、カバー部を駆動させるとよい。
好ましくは、カバー部を駆動させるカバー駆動部をさらに備え、カバー部は、拭き取りアームを駆動させるための拭き取りアーム駆動部の外筐体に回動可能に取り付けられており、カバー駆動部は、便座と便器との間にカバー部が挿入されるように、カバー部を駆動させるとよい。
また、本発明は、トイレットペーパーで臀部を拭く臀部拭き取り装置であって、トイレットペーパーを取り付けるための拭き取りアームと、臀部を拭き取る位置まで拭き取りアームを移動させる拭き取りアーム駆動部と、拭き取りアームに取り付けられたトイレットペーパーを押さえるための押さえ部材とを備える。
好ましくは、前記拭き取りアームは、中間部分に関節機構部を含むとよい。
また、本発明は、トイレットペーパーで臀部を拭く臀部拭き取り装置であって、拭き取りアームと、拭き取りアームを駆動させる拭き取りアーム駆動部と、拭き取りアームの動作を制御する制御部と、拭き取りアームに前記トイレットペーパーが載置されているか否かを検知する検知部とを備え、拭き取りアーム駆動部は、臀部の汚れを拭き取る位置まで、拭き取りアームを移動させ、制御部は、検知部によって拭き取りアームに紙が載置されていないと検知された場合、拭き取りアームを駆動させないように拭き取りアーム駆動部を制御することを特徴とする、臀部拭き取り装置。